(57)【要約】【課題】システムに無線カメラを付加する際に、無線アダプタを増設親機に混在させて渡り配線することで、ドアホン子器による来客映像以外に任意の場所の映像をモニタ表示することが可能なテレビインターホンシステムを提供する。【解決手段】インターホン親機２と、インターホン親機２と通信するドアホン子器１と、インターホン親機２と有線接続する無線アダプタ３と、インターホン親機２またはドアホン子器１との間で無線アダプタ３を介して無線通信を行う無線増設親機５と、無線アダプタ３と無線通信を行う無線カメラ７と、インターホン親機２と有線接続する有線増設親機４とを備えた無線インターホンシステムにおいて、無線アダプタ３を、ドアホン子器１とは直接接続せず、インターホン親機２と有線増設親機４との接続ライン上に有線接続する。【選択図】図１
2006270783.tif 000002
【特許請求の範囲】
【請求項１】
インターホン親機と、
インターホン親機と通信するドアホン子器と、
インターホン親機と有線接続する無線アダプタと、
インターホン親機またはドアホン子器との間で無線アダプタを介して無線通信を行う無線増設親機と、
無線アダプタと無線通信を行う無線カメラと、
インターホン親機と有線接続する有線増設親機と、を備えた無線インターホンシステムにおいて、
無線アダプタを、ドアホン子器とは直接接続せず、インターホン親機と有線増設親機との接続ライン上に有線接続するものとしたことを特徴とする、インターホンシステム。
【請求項２】
請求項１において、
システムは、モニタ付きの無線増設親機をさらに備えており、
上記無線カメラは、上記無線アダプタを介して、上記無線増設親機との映像モニタのための無線通信を行うことを特徴とする、テレビインターホンシステム。
【請求項３】
請求項２において、
上記無線増設親機と上記無線カメラとの通信は、さらに上記モニタ付きインターホン親機を経由して実行されることを特徴とする、テレビインターホンシステム。
【請求項４】
請求項１において、
上記無線カメラは、上記無線アダプタを介して、上記モニタ付きインターホン親機との映像モニタのための無線通信を行うことを特徴とする、テレビインターホンシステム。
【請求項５】
請求項１において、
上記有線増設親機はモニタ付きであり、
上記無線カメラは、上記無線アダプタを介して、上記有線増設親機との映像モニタのための無線通信を行うことを特徴とする、テレビインターホンシステム。
【発明の詳細な説明】
【技術分野】
【０００１】
本発明は、無線アダプタを介して、モニタ付きインターホン親機や増設機器と無線通信する無線カメラを備えたテレビインターホンシステムに関するものである。
【背景技術】
【０００２】
従来のテレビインターホンシステムには、カメラ付きドアホン子器、モニタ付きインターホン親機、増設親機が有線で接続されたもののほかに、無線式の監視カメラや無線式の増設親機を備えるものがある。
【０００３】
無線式の監視カメラは、勝手口などに増設すれば、勝手口付近の映像を居室内の親機でモニタすることができるため、防犯上、有効な手段として用いられている。
【０００４】
また、無線監視カメラや無線増設親機等の無線機器を備えたシステムとしては、カメラ付きドアホン子器やモニタ付きインターホン親機と通信するための無線アダプタを備えたものが知られている。
【０００５】
図４、図５は、この種の無線アダプタを備えたテレビインターホンシステムの例である。
【０００６】
図４のシステムは、カメラ付きドアホン子器１０１と、モニタ付きインターホン親機１０２とが信号線Ｌで接続され、さらにモニタ付き無線増設親機１０４と、無線監視カメラ１０５と、無線アダプタ１０３とを備えたハンズフリーインターホンシステムである。なお、図中の１０３ｎ、１０４ｎ、１０５ｎはそれぞれ、無線アダプタ１０３、モニタ付き無線増設親機１０４、無線監視カメラ１０５のアンテナを示す。
【０００７】
カメラ付きドアホン子器１０１と有線で接続されるモニタ付きインターホン親機１０２は、カメラ付きドアホン子器１０１から伝送された音声信号と映像信号を無線アダプタに出力する音声出力端子１０２ｂと、ドアホン子器１０１のカメラから伝送されてくる映像信号を送出する映像出力端子１０２ｃと、無線アダプタ１０３から音声信号を入力する音声入力端子１０２ａと、無線アダプタ１０３と制御信号をやりとりする制御端子１０２ｄとを有している。
【０００８】
また無線アダプタ１０３は、モニタ付きインターホン親機１０２の音声出力端子１０２ｂと接続される音声入力端子１０３ｂ、モニタ付きインターホン親機１０２の映像出力端子１０２ｃと接続される映像入力端子１０３ｃ、モニタ付きインターホン親機１０２の制御端子１０２ｄと接続される制御端子１０３ｄ、モニタ付きインターホン親機１０２の音声入力端子１０２ａと接続される音声出力端子１０３ａを備える。
【０００９】
インターホン親機１０２側で無線カメラ１０５用のモニタ釦（不図示）操作をすると、無線カメラ１０５が駆動し、無線アダプタ１０３を介して、インターホン親機１０２で映像をモニタすることができる。また、無線監視カメラ１０５に通話機能を備えれば、親機との間で通話も可能となる。つまり、勝手口用のカメラ付き子器としても機能させることができる。
【００１０】
また図５のシステムは、モニタ付きインターホン親機２０２とカメラ付きドアホン子器２０１とが信号線Ｌにより有線接続され、それらの間に、信号線Ｌによって無線アダプタ２０３が接続され、さらに、無線アダプタ２０３と無線通信可能な無線増設親機２０４と、無線監視カメラ２０５とを備えている。
【００１１】
図４のシステムと同様に、無線監視カメラ２０５は、モニタ付きインターホン親機２０２や他の増設親機からのモニタ指令により駆動し、居室内の親機で、勝手口などのモニタができるようになっている。
【００１２】
なお、図中の２０３ｎ、２０４ｎ、２０５ｎはそれぞれ、無線アダプタ２０３、無線増設親機２０４、無線監視カメラ２０５のアンテナを示す。
【００１３】
次の特許文献１には、無線の監視カメラを備えたシステムが記載されている。
【特許文献１】特開２００３−２８９５３４号公報
【発明の開示】
【発明が解決しようとする課題】
【００１４】
しかしながら、上述した図４のシステムにおいて、有線増設親機と無線増設親機を加えたインターホンシステムを構成する場合、インターホン親機には、有線増設親機を接続するための接続端子に加えて、無線アダプタを接続するための専用端子を設ける必要があるため、インターホン親機のコストが高くなり、また、インターホン親機のサイズが大きくなってしまうといった問題がある。
【００１５】
また、上述した図５のシステムにおいては、無線アダプタをドアホン子器、インターホン親機間の信号線に接続しているため、例えば３階建て住宅の３階居室等、玄関から遠い場所に無線アダプタを設置する場合には配線距離が長くなり、配線形態が複雑になってしまうといった問題や、無線アダプタの設置場所に制約が出てしまうといった問題がある。
【００１６】
特に、図４、図５のように、上記特許文献３で示した無線式の監視カメラを付加した無線機器を中心とするテレビインターホンシステムの場合には、上記のような無線アダプタの設置上の問題があれば、テレビインターホンシステムの施工に大きな制限がかかることになる。
【００１７】
本発明は、上記の点に鑑みて提案されたものであり、その目的は、システムに無線監視カメラ（以下、無線カメラという）を付加する際に、無線アダプタを増設親機に混在させて渡り配線することで、ドアホン子器による来客映像以外に任意の場所の映像をモニタ表示することが可能なテレビインターホンシステムを提供することにある。
【課題を解決するための手段】
【００１８】
上記目的を達成するために、請求項１に記載のインターホンシステムは、インターホン親機と、インターホン親機と通信するドアホン子器と、インターホン親機と有線接続する無線アダプタと、インターホン親機またはドアホン子器との間で無線アダプタを介して無線通信を行う無線増設親機と、無線アダプタと無線通信を行う無線カメラと、インターホン親機と有線接続する有線増設親機とを備えた無線インターホンシステムにおいて、無線アダプタを、ドアホン子器とは直接接続せず、インターホン親機と有線増設親機との接続ライン上に有線接続するものとしたことを特徴とする。
【００１９】
請求項２では、システムはモニタ付きの無線増設親機をさらに備えており、無線カメラは、無線アダプタを介して、無線増設親機との映像モニタのための無線通信を行うことを特徴としている。
【００２０】
請求項３では、無線増設機と無線カメラとの通信は、さらにモニタ付きインターホン親機を経由して実行されることを特徴としている。
【００２１】
請求項４では、無線カメラは、無線アダプタを介して、モニタ付きインターホン親機との映像モニタのための無線通信を行うことを特徴としている。
【００２２】
請求項５では、無線カメラは、無線アダプタを介して、有線増設親機との映像モニタのための無線通信を行うことを特徴としている。
【発明の効果】
【００２３】
請求項１〜５に記載のテレビインターホンシステムによれば、監視用の無線カメラを有線増設親機に混在させて簡易に付加して、有線システムを無線対応システムとして構築できるテレビインターホンシステムが実現できる。
【００２４】
すなわち、無線アダプタを有線増設親機に混在させて渡り配線しているため、無線カメラにより、カメラ付きドアホン子器による来客映像以外に任意の場所の映像をモニタ表示することができる。つまり、無線アダプタを有線増設親機に混在させて渡り配線することにより、無線アダプタの接続位置の制約が少なくなるため、無線カメラの自由な設置が実現できる。例えば、無線カメラを有線増設親機、無線増設親機の近辺に設置して、これら増設親機とのモニタ付きインターホン親機の内線通話を相手の姿を見ながらできるようにもなるなど、無線カメラによる自由な映像モニタが可能なテレビインターホンシステムが実現できる。
【００２５】
また、無線アダプタを有線増設親機に混在させて渡り配線することによる基本的な効果として、次のようなものがある。
【００２６】
すなわち、無線アダプタを、モニタ付きインターホン親機と有線増設親機との接続ライン上に有線接続するものとしたため、有線増設親機を接続するための端子とは別に、親機に無線アダプタを接続するための専用端子を増設する必要がなく、親機のコストダウンや小型化を実現できる。
【００２７】
さらに、無線アダプタをカメラ付きドアホン子器とは直接接続しないようにしているため、例えば３階建て住宅の３階居室等、玄関から遠い場所に無線アダプタを設置する場合においても、配線距離の長距離化や配線形態の複雑化を防止することができ、無線アダプタの設置場所に制約が出ないテレビインターホンシステムを提供できる。
【００２８】
請求項２では、無線カメラと無線増設親機の通信を、モニタ付きインターホン親機を介することなく無線アダプタのみで行うことができ、そのため、モニタ付きインターホン親機の負荷を軽減することができる。
【００２９】
請求項３では、無線増設親機と無線カメラとの通信を、さらにモニタ付きインターホン親機を介して行うようにしているので、無線アダプタの負荷を軽減することができる。
【００３０】
請求項４では、無線カメラとモニタ付きインターホン親機との通信を、無線アダプタを介して行う構成としているため、利便性の高いテレビインターホンシステムを提供できる。
【００３１】
請求項５では、無線カメラと有線増設親機との通信を、無線アダプタを介して行う構成としているため、利便性の高いテレビインターホンシステムを提供できる。
【発明を実施するための最良の形態】
【００３２】
以下に、本発明の実施の形態について、添付図面を参照しながら説明する。
【００３３】
なお、以下の実施例は、居室内に設置するモニタ付きインターホン親機、有線増設親機および無線増設親機は、ハンドセット、ハンズフリーのいずれのインターホンを用いたシステムにも適用が可能である。
【実施例１】
【００３４】
図１は、本発明のテレビインターホンシステムの構成を示すブロック図である。また、図２は、図１で示したテレビインターホンシステムを構成する機器の各構成要素を示す回路ブロック図である。
【００３５】
図１、図２に示したテレビインターホンシステムは、モニタ付きインターホン親機（以下、インターホン親機ともいう）２と、インターホン親機２に有線接続されたカメラ付きドアホン子器（以下、ドアホン子器ともいう）１と、有線増設親機４と、インターホン親機２または有線増設親機４に有線接続するための２つの接続端子３ｔａ、３ｔｂとを有する無線アダプタ３と、無線増設親機５と、無線カメラ７とにより構成される。
【００３６】
ここで、無線アダプタ３は、インターホン親機２が複数台の有線増設親機４、４を設置するために設けている２線式の信号線Ｌ上に、有線増設親機４、４と混在して渡り配線で接続される形で配置される。
【００３７】
後述するように、この信号線Ｌには、カメラ電源をベースにして、それぞれに周波数帯を区分した制御信号、音声信号、映像信号が周波数多重化方式で重畳されたものが伝送されるが、映像信号を伝送する同軸ケーブル、制御信号、音声信号、電源を伝送する信号線、電源線で接続したものであってもよい。
【００３８】
また、無線カメラ７は、勝手口等に設けられ、インターホン親機２、有線増設親機４、無線増設親機５のいずれかの操作により、モニタ動作を実行する機能を有するとともに、本実施例の場合はこれら機器との間で通話も可能としている。
次に、システムを構成する各機器の構成と動作について説明する。
【００３９】
ドアホン子器１は、スピーカ１ｂと、マイク１ｄと、スピーカアンプ１ｃと、マイクアンプ１ｅと、来客者の姿を捉えるカメラ１ｆと、呼出釦１ｇと、信号処理部１ａとを備える。
【００４０】
マイク１ｄから出力されマイクアンプ１ｅで増幅される音声信号と、カメラ１ｆから出力される映像信号と、呼出釦１ｇの操作により発生する制御信号は、信号処理部１ａによって多重化されて、伝送路（信号線Ｌ）に送出される。また、インターホン親機２からは音声信号と制御信号が電源とともに伝送路に送出されており、信号処理部１ａは、インターホン親機２から送出される多重化された信号を分離する。分離された音声信号は、スピーカアンプ１ｃで増幅された後スピーカ１ｂから出力される。
【００４１】
インターホン親機２は、スピーカ２ｂと、マイク２ｄと、スピーカアンプ２ｃと、マイクアンプ２ｅと、ドアホン子器１または無線カメラ７で捉えた映像を映し出すためのモニタ２ｆと、子器モニタ釦２ｇと、内線呼出釦２ｈと、無線モニタ釦２ｉと、信号処理部２ａとを備える。
【００４２】
なお、この無線モニタ釦２ｉは無線カメラ７を動作させるためのものであり、ドアホン子器１の操作用の子器モニタ釦２ｇとは区別される。有線増設親機４、無線増設親機５の無線モニタ釦についても同様である。
【００４３】
ドアホン子器１から送出される多重化された信号は、信号処理部２ａにて、音声信号、映像信号、制御信号に分離され、音声信号はスピーカアンプ２ｃで増幅された後、スピーカ２ｂに出力され、映像信号はモニタ２ｆに出力される。また、マイク２ｄから出力された音声信号はマイクアンプ２ｅで増幅された後、子器モニタ釦２ｇの操作により発生する制御信号と、信号処理部２ａにて多重化され、電源に重畳されて伝送路に送出される。
【００４４】
さらに、インターホン親機２は、ドアホン子器１と無線増設親機５が通信を行う際には、ドアホン子器１から送出される信号を信号処理部２ａより無線アダプタ３に出力し、無線アダプタ３により送出される信号を信号処理部２ａよりドアホン子器１に送出する機能を有する。
【００４５】
また、無線カメラ７から送出される多重化された信号は、信号処理部２ａにて、音声信号、映像信号、制御信号に分離され、音声信号はスピーカアンプ２ｃで増幅された後、スピーカ２ｂに出力され、映像信号はモニタ２ｆに出力される。
【００４６】
無線アダプタ３は、２つの接続端子３ｔａ、３ｔｂと、信号処理部３ａと、無線部３ｒと、無線部３ｒに付随するアンテナ３ｎとを有し、インターホン親機２から送出された音声信号、映像信号、制御信号を信号処理部３ａにて信号処理を行った後、無線部３ｒにて変調してアンテナ３ｎから送信する。また、無線増設親機５から送信された音声信号、制御信号をアンテナ３ｎで受信し、無線部３ｒで復調した後、信号処理部３ａを介してインターホン親機２に信号を送出する。
【００４７】
無線増設親機５は、スピーカ５ｂと、マイク５ｄと、スピーカアンプ５ｃと、マイクアンプ５ｅと、ドアホン子器１または無線カメラ７で捉えた映像を映し出すためのモニタ５ｆと、子器モニタ釦５ｇと、内線呼出釦５ｈと、無線カメラ７を動作させるための無線モニタ釦５ｉと、信号処理部５ａと、無線部５ｒと、無線部５ｒに付随するアンテナ５ｎとを備え、通話時においては、無線アダプタ３から送信された音声信号、映像信号、制御信号をアンテナ５ｎで受信し、無線部５ｒにて復調し信号処理部５ａで処理した後、音声信号をスピーカ５ｂに出力し、映像信号をモニタ５ｆに出力する。また、マイク５ｄから出力される音声信号と制御信号を信号処理部５ａにて処理した後、無線部５ｒにて変調してアンテナ５ｎから送信する。
【００４８】
有線増設親機４は、スピーカ４ｂと、マイク４ｄと、スピーカアンプ４ｃと、マイクアンプ４ｅと、ドアホン子器１または無線カメラ７で捉えた映像を映し出すためのモニタ４ｆと、子器モニタ釦４ｇと、内線呼出釦４ｈと、無線カメラ７を動作させるための無線モニタ釦４ｉと、信号処理部４ａとを備える。
【００４９】
有線増設親機４では、インターホン親機２から送出される多重化された信号は、信号処理部４ａにて、音声信号、映像信号、制御信号に分離され、音声信号はスピーカアンプ４ｃで増幅された後、スピーカ４ｂに出力され、映像信号はモニタ４ｆに出力される。また、マイク４ｄから出力された音声信号はマイクアンプ４ｄで増幅された後、子器モニタ釦４ｇの操作により発生する制御信号と信号処理部４ａにて多重化され、電源に重畳されて伝送路に送出される。
【００５０】
なお、本実施例では、有線増設親機４、無線増設親機５のいずれでも無線カメラ７の映像をモニタできるようにしているが、インターホン親機２のみでモニタできるようなシステムであってもよい。
【００５１】
無線カメラ７は、スピーカ７ｂと、マイク７ｄと、スピーカアンプ７ｃと、マイクアンプ７ｅと、カメラ７ｆと、信号処理部７ａと、無線部７ｒと、無線部７ｒに付随するアンテナ７ｎとを備え、通信時においては、カメラ７ｆに入力される映像信号とマイク７ｄに入力される音声信号と制御信号を信号処理部７ａにて多重化処理した後、無線部７ｒにて変調してアンテナ７ｎから送信する。
【００５２】
また、無線アダプタ３から送信された音声信号、制御信号をアンテナ７ｎで受信し、無線部７ｒにて復調し信号処理部７ａで処理した後、音声信号をスピーカ７ｒに出力する。
【００５３】
次に、上記インターホンシステムの基本動作を、来客のドアホン子器１からの呼出と、親機２、４、５の無線カメラ７による映像モニタと、親機２、４、５間の内線呼出とに分けて説明する。
【００５４】
まず、ドアホン子器１からの呼出と、それにともなう応答、通話、モニタについて説明する。
【００５５】
ドアホン子器１からインターホン親機２を呼び出すと、インターホン親機２、有線増設機器４、無線増設機器５から呼出音が出力される。いずれかで応答すると、インターホン親機２は、応答した機器とドアホン子器１とを接続して、通話を可能とする。
【００５６】
より具体的には、来客がドアホン子器１の呼出釦１ｇを操作して呼出をしたときは、待機電圧がレベルダウンすることをインターホン親機２で検知する。呼出信号がインターホン親機２で検知されると、インターホン親機２は、有線増設親機４と無線アダプタ３に通知し、さらに無線アダプタ３からの無線信号にて無線増設親機５に伝達される。
【００５７】
その後、例えば無線増設親機５が応答すると、無線増設親機５は、無線アダプタ３経由で、ドアホン子器１側の音声と映像が多重化された信号を無線信号にて受信し、結果として、無線増設親機５のスピーカ５ｂにはドアホン子器１側の音声が出力され、無線増設親機５のモニタ５ｆにはドアホン子器１側の映像が出力され、ドアホン子器１との通話ができる。
【００５８】
次に、インターホン親機２、有線増設親機４、無線増設親機５の、無線カメラ７による映像モニタ動作について説明する。
【００５９】
例えば、無線増設親機５で無線モニタ釦５ｉが操作されると、モニタ指令信号が無線信号の形で無線アダプタ３に送出される。その後、無線アダプタ３は、独自の判断で、モニタ指令信号を無線カメラ７に伝達する。この場合、インターホン親機２が全システムの監視を行う構成であれば、インターホン親機２にはモニタ実施中の信号を送出する。
【００６０】
モニタ指令信号を受けた無線カメラ７は、カメラ７ｆにより撮像した映像信号を無線信号の形で、無線アダプタ３を介して無線増設親機５に送出する。信号を受信した無線増設親機５は、モニタ５ｆに受信したカメラ映像を出力する。また、無線増設親機５と無線カメラ７との間では通話も可能となる。
【００６１】
このようなシステムでは、無線増設親機５、無線カメラ７間の通信を、インターホン親機２を介することなく無線アダプタ３のみで行うことができるため、インターホン親機２の負荷を抑えることができる。
【００６２】
もちろん、無線増設親機５、無線カメラ７間の通信についても、インターホン親機２を介在させて、インターホン親機２が信号を相互に伝達させてもよく、このようなシステムでは、無線アダプタ３の構成を簡略にできる。
【００６３】
インターホン親機２または有線増設親機５から無線カメラ７を作動させてモニタする場合についても同様に、無線アダプタ３を介して信号伝送が行われる。それらの基本動作については説明を省略する。
【００６４】
また、この無線カメラ７を室内に設置すれば、内線呼出先の映像を見ながら内線通話をすることもできる。
【００６５】
すなわち、無線カメラ７を有線増設親機４や無線増設親機５の近辺に設置しておけば、インターホン親機２が、これらの増設親機の内線呼出をするとともに、無線カメラ７を駆動すれば、呼び出された相手の姿を見ながら内線通話をすることができる。さらに、インターホン親機２、他の増設親機４、５すべてに対応させて無線カメラ７を設置すれば、居室内のテレビ内線通話が実現できる。
【００６６】
無線機器の中継となる無線アダプタ３を、有線増設親機４に混在させて渡り配線しているため、無線アダプタ３の接続位置の制約が少なく、そのため、このように無線カメラ７の設置場所にも制約がなく、また複数の無線カメラを設置することもでき、無線カメラによる自由な映像モニタが可能なテレビインターホンシステムが実現できる。
【００６７】
最後に、親機間の内線呼出と、それにともなう応答、通話について説明する。
【００６８】
例えば、インターホン親機２から無線増設親機５への内線呼出の場合には、次のような動作が実行される。
【００６９】
居住者がインターホン親機２の内線呼出釦２ｈを操作して内線呼出をしたときは、内線呼出信号が無線アダプタ３を通じて、呼出先の無線増設親機５に呼出信号を送出し、呼出を受けた無線増設親機５が応答すると、無線アダプタ３経由で、インターホン親機２と呼び出された無線増設親機５との通話が開始される。
【００７０】
その他、インターホン親機４、有線増設親機４間、有線増設親機４、無線増設親機４間、無線増設親機５同士などの場合も、内線呼出釦の操作により内線呼出信号が送出され、インターホン親機２が呼出元と呼出先を結び付けて、応答、通話が行われるが、呼出元、呼出先のいずれかが無線増設親機５の場合には、さらに無線アダプタ３が介される。
【００７１】
以上に説明したように、無線アダプタ３を、インターホン親機２と有線増設親機４との渡り配線の信号線Ｌ上に有線接続するものとしたため、有線増設親機４を接続するための端子とは別に、インターホン親機２に無線アダプタ３を接続するための専用端子を増設する必要がなく、親機のコストダウンや小型化を実現できる。
【００７２】
また、無線アダプタ３をドアホン子器１とは直接接続しないようにしているため、例えば３階建て住宅の３階居室等、玄関から遠い場所に無線アダプタ３を設置する場合においても、配線距離の長距離化や配線形態の複雑化を防止することができ、無線アダプタ３の設置場所に制約が出ないインターホンシステムを提供できる。
【００７３】
特に、無線カメラ７などの無線機器を有線増設親機４に混在させて簡易に付加できる構成であるため、有線システムを、無線機器を多く採り入れた無線中心のシステムとして構築できるインターホンシステムが実現できる。
【００７４】
また、上記図１の例では、無線アダプタ３を、有線増設親機４、４間の信号線Ｌに配置させているが、信号線Ｌを渡り配線にしているため、無線アダプタ３を、インターホン親機２と有線増設親機４との信号線Ｌ上の任意の位置に接続することができる。例えば図３に示すように、無線アダプタ３を、信号線Ｌ上の終端に位置するよう配置してもよい。
【００７５】
なお、図３に示したインターホンシステムを構成する機器および動作については、図１に示したシステムと同様であるため、構成機器について同一の符号を付して説明を省略する。
【図面の簡単な説明】
【００７６】
【図１】本発明のインターホンシステムの構成を示すブロック図である。
【図２】本発明のインターホンシステムを構成する機器の構成要素を示した図である。
【図３】本発明のインターホンシステムの他例を示すブロック図である。
【図４】従来のインターホンシステムを示すブロック図である。
【図５】従来のインターホンシステムを示すブロック図である。
【符号の説明】
【００７７】
１      カメラ付きドアホン子器
２      モニタ付きインターホン親機
３      無線アダプタ
４      有線増設親機
５      無線増設親機
７      無線カメラ
Ｌ      有線接続ライン
【図１】
2006270783.tif 000003
【図２】
2006270783.tif 000004
【図３】
2006270783.tif 000005
【図４】
2006270783.tif 000006
【図５】
2006270783.tif 000007